(57)【要約】      （修正有）【課題】磁気アセンブリ及びそのベースを提供する。【解決手段】磁気アセンブリ１は、磁気コア２、２つの巻線３、及びベース４を含む。巻線３は、磁気コア２の周りに配置され、各巻線３は、２つの先端部分を有する。ベース４は、磁気コア２を支持し、フレーム部４０、ピンベース４１、ピンベース４１に配置された２つの第１ピン４２及び２つの第２ピン４３を含む。ピンベース４１は、フレーム部４０に接続され、４つの貫通孔Ｈを有する。２つの第１ピン４２は、２つの貫通孔Ｈに配置され、２つの第２ピン４３は、他の２つの貫通孔Ｈに配置される。各第１ピン４２及び各第２ピン４３は、第１面及び第２面からそれぞれ延在する２つの延在部を有する。巻線３の先端部分は、第１ピン４２及び第２ピン４３にそれぞれ接続される。それによって、生産コストの削減及び製品標準化の利点が達成される。【選択図】図１
0003215521.tif 000002
【実用新案登録請求の範囲】
【請求項１】
磁気コア、２つの巻線、及びベースを含む磁気アセンブリであって、
前記２つの巻線は、前記磁気コアの周りに配置され、各前記巻線は、２つの先端部分を有し、
前記ベースは、前記磁気コアを支持し、
前記ベースは、フレーム部、ピンベース、２つの第１ピン、及び２つの第２ピンを含み、
前記ピンベースは、前記フレーム部に接続され、４つの貫通孔、第１面、及び前記第１面に対向する第２面を有し、 前記４つの貫通孔が前記第１面及び前記第２面を貫通し、
前記２つの第１ピンは、2つの前記貫通孔に配置され、各前記第１ピンは、前記第１面及び前記第２面からそれぞれ延在する２つの延在部を有し、
前記２つの第２ピンは、他の２つの前記貫通孔に配置され、各前記第２ピンは、前記第１面及び前記第２面からそれぞれ延在する２つの延在部を有し、
前記巻線の前記先端部分は、前記第１ピン及び前記第２ピンにそれぞれ接続される磁気アセンブリ。
【請求項２】
各前記第１ピンは、各前記第１ピンの前記２つの延在部にそれぞれ接続された２つの延伸部を有する請求項１に記載の磁気アセンブリ。
【請求項３】
各前記第１ピンの前記２つの延在部は、前記第１面及び前記第２面にそれぞれ垂直であり、各前記第１ピンの前記２つの延伸部は、各前記第１ピンの前記2つの延在部にそれぞれ垂直である請求項2に記載の磁気アセンブリ。
【請求項４】
各前記第２ピンの前記２つの延在部は、前記第１面及び前記第２面にそれぞれ垂直であり、前記第２ピンの各前記延在部の長さは、前記第１ピンの各前記延在部よりも長い請求項3に記載の磁気アセンブリ。
【請求項５】
前記フレーム部は、中柱を有し、
前記2つの第１ピンは、前記ピンベース上に、前記中柱に対して対称に配置され、
前記２つの第２ピンは、前記ピンベース上及び前記２つの第１ピンの間に、前記中柱に対して対称に配置される請求項2に記載の磁気アセンブリ。
【請求項６】
各前記第２ピンは、各前記第２ピンの前記２つの延在部にそれぞれ接続された２つの延伸部を有する請求項2に記載の磁気アセンブリ。
【請求項７】
各前記第１ピンは、延伸部を有し、
各前記第１ピンの前記2つの延在部は、前記第１面及び前記第２面にそれぞれ垂直であり、
各前記第１ピンの前記延伸部は、それぞれ各前記第１ピンの前記2つの延在部のうちの１つに垂直に接続される請求項1に記載の磁気アセンブリ。
【請求項８】
各前記第２ピンは、延伸部を有し、
各前記第２ピンの前記２つの延在部は、前記第１面及び前記第２面にそれぞれ垂直であり、
各前記第２ピンの前記延伸部は、それぞれ各前記第２ピンの前記2つの延在部のうちの１つに垂直に接続される請求項7に記載の磁気アセンブリ。
【請求項９】
前記フレーム部は、中柱を有し、
前記第１ピン及び前記第２ピンは、前記ピンベース上に、前記中柱に対して対称に配置される請求項1に記載の磁気アセンブリ。
【請求項１０】
前記フレーム部及び前記ピンベースによって収納空間が画され、前記磁気コア及び前記巻線は、前記収納空間に部分的に配置される請求項1に記載の磁気アセンブリ。
【請求項１１】
前記ピンベースと前記フレーム部との間に段差が形成され、前記フレーム部は、第１セグメント、2つの対向する第2セグメント、及び中柱を有し、
前記２つの第2セグメントは、それぞれ前記第１セグメントに接続され、
前記中柱は、前記第１セグメント及び前記ピンベースに接続され、
第１セグメント、前記２つの第2セグメント、前記中柱、及び前記ピンベースによって、２つの収納空間が画され、
前記磁気コア及び前記巻線は、 前記２つの収納空間に部分的に配置される請求項1に記載の磁気アセンブリ。
【請求項１２】
前記磁気コアは、2つの側柱を有し、
前記２つの巻線は、それぞれ前記２つの側柱の周りに配置され、前記２つの側柱及び前記２つの巻線は、前記２つの収納空間に配置される請求項10又は11に記載の磁気アセンブリ。
【請求項１３】
前記磁気コアは、頂柱及び底柱をさらに含み、
前記頂柱の両端は、それぞれ前記２つの側柱の一側の端部に接続され、
前記底柱の両端は、それぞれ前記２つの側柱の他側の端部に接続され、
前記底柱は、前記ピンベースに配置される請求項12に記載の磁気アセンブリ。
【請求項１４】
磁気コア、巻線、及びベースを含む磁気アセンブリであって、
前記巻線は、前記磁気コアの周りに配置され、且つ、２つの先端部分を有し、
前記ベースは、前記磁気コアを支持し、
前記ベースは、フレーム部、ピンベース、２つのピンを含み、
前記ピンベースは、前記フレーム部に接続され、２つの貫通孔、第１面、及び前記第１面に対向する第２面を有し、前記２つの貫通孔が前記第１面及び前記第２面を貫通し、
前記２つのピンは、前記２つの貫通孔に配置され、各前記ピンは、前記第１面及び前記第２面からそれぞれ延在する２つの延在部を有し、
前記巻線の前記２つの先端部分は、前記２つのピンにそれぞれ接続される磁気アセンブリ。
【請求項１５】
前記ピンのうちの１つは、前記ピンの前記延在部のうちの１つに接続された延伸部を有する請求項14に記載の磁気アセンブリ。
【請求項１６】
前記ピンのうちの１つは、前記ピンの前記２つの延在部にそれぞれ接続された２つの延伸部を有する請求項14に記載の磁気アセンブリ。
【請求項１７】
各前記ピンは、各前記ピンの前記延在部のうちの1つに接続された延伸部を有する請求項14に記載の磁気アセンブリ。
【請求項１８】
各前記ピンは、前記ピンの前記２つの延在部にそれぞれ接続された２つの延伸部を有する請求項14に記載の磁気アセンブリ。
【請求項１９】
フレーム部、ピンベース、２つの第１ピン、及び２つの第２ピンを含む、磁気コアを支持するための磁気アセンブリのベースであって、
前記ピンベースは、前記フレーム部に接続され、且つ、４つの貫通孔、第１面、及び前記第１面に対向する第２面を有し、前記４つの貫通孔が前記第１面及び前記第２面を貫通し、
前記２つの第１ピンは、２つの前記貫通孔に配置され、各前記第１ピンは、前記第１面及び前記第２面からそれぞれ延在する２つの延在部を有し、
前記２つの第２ピンは、他の２つの貫通孔に配置され、 各前記第２ピンは、前記第１面及び前記第２面からそれぞれ延在する２つの延在部を有する、磁気コアを支持するための磁気アセンブリのベース。
【請求項２０】
フレーム部、ピンベース、及び２つのピンを含む、磁気コアを支持するための磁気アセンブリのベースであって、
前記ピンベースは、前記フレーム部に接続され、且つ、２つの貫通孔、第１面、及び前記第１面に対向する第２面を有し、前記２つの貫通孔が前記第１面及び前記第２面を貫通し、
前記２つのピンは、前記２つの貫通孔に配置され、各前記ピンは、前記第１面及び前記第２面からそれぞれ延在する２つの延在部を有する、磁気コアを支持するための磁気アセンブリのベース。
【考案の詳細な説明】
【技術分野】
【０００１】
本出願は、2017年8月23日に出願された台湾特許出願第106212503号の優先権を主張し、あらゆる目的において、そのすべての内容が参照によってすべて本明細書に組み込まれる。
【０００２】
本考案は、磁気アセンブリ及びそのベースに関し、具体的には、磁気アセンブリを垂直又は水平に取付けるためのベースに関する。
【背景技術】
【０００３】
科学技術の進歩に伴い、様々な電子製品が盛んであり、電子製品の要求される回路設計を満たすために、種々の磁気アセンブリが使用されている。例えば、チョークまたはインダクタを設定することにより、回路の電気エネルギーを蓄積または放出して電流を調整することができ、それにより、回路の電流を安定化し、ノイズを除去することができる。
【０００４】
従来の磁気アセンブリでは、一般に、巻線が磁気コアの周りに配置され、金属ピンが配置されたベースに取り付けられる。巻線の配置後に、巻線がはんだ付け操作によってピンに固定され、磁気アセンブリがピンを介して回路基板に挿入されることにより、電子製品の回路に相応の影響をもたらす。
【０００５】
構成または巻線方法に応じて磁気アセンブリを製造して回路基板に垂直または水平に挿入することができ、且つ、各磁気アセンブリを対応するベースと適合させなければならない。しかし、従来技術において、ベースの設計は、単一の特定のタイプの磁気アセンブリ (即ち、垂直型または水平型) にのみ適用され得るため、ベースが共有できず、生産規模を分散させることができない。さらに、巻線およびはんだの要求を満たすために、従来のベースは、体積が大きく、多くのスペースを占める。
【０００６】
従って、従来技術における欠点を解決し、ベースを垂直型磁気アセンブリ及び水平型磁気アセンブリに共用させ、生産規模を分散させ、自動生産に有益で、スペースを効果的に使用し、生産コストの削減及び製品標準化の利点を達成するために、磁気アセンブリ及びそのベースを提供する必要がある。
【考案の概要】
【０００７】
本考案は、磁気アセンブリ及びそのベースを提供することで、従来技術における欠点を解決することを目的とする。
【０００８】
本考案は、磁気アセンブリ及びそのベースを提供する。ベースのピンベースに異なるタイプのピンを配置することにより、このベースを垂直型及び水平型の磁気アセンブリに適用することができる。それによって、生産規模が分散され、生産コストの削減及び製品標準化の利点が達成される。
【０００９】
本考案は、磁気アセンブリ及びそのベースも提供する。異なる方向に沿って異なるタイプのピンを配置することにより、はんだ付け及び固定が容易なピンに接続するように巻線を選択することができ、磁気アセンブリが異なる設計要求における組み立てを満たすことができるため、生産の困難性が低減され、自動生産に有益である。
【００１０】
本考案は、磁気アセンブリ及びそのベースも提供する。互いに段差を有するフレーム部及びピンベースで収納空間を画することにより、磁気コア及び巻線を収納空間に部分的に配置することができる。磁気コア及び巻線をベースに沈める設計により、磁気アセンブリの体積を減少させることができ、スペースを効果的に使用することができる。
【００１１】
本考案の一態様によれば、磁気アセンブリを提供する。磁気アセンブリは、磁気コア、２つの巻線、及びベースを含む。上記巻線は、磁気コアの周りに配置され、各巻線は、２つの先端部分を有する。上記ベースは、磁気コアを支持し、且つフレーム部、ピンベース、２つの第１ピン、及び２つの第２ピンを含む。上記ピンベースは、フレーム部に接続される。上記ピンベースは、４つの貫通孔、第１面、及び該第１面に対向する第２面を有し、該４つの貫通孔が第１面及び第２面を貫通する。上記第１ピンは、２つの貫通孔に配置され、各第１ピンは、第１面及び第２面からそれぞれ延在する２つの延在部を有する。第２ピンは、他の２つの貫通孔に配置され、各第２ピンは、第１面及び第２面からそれぞれ延在する２つの延在部を有する。巻線の先端部分は、第１ピン及び第２ピンにそれぞれ接続される。
【００１２】
本考案の一態様によれば、磁気アセンブリを提供する。該磁気アセンブリは、磁気コア、巻線、及びベースを含む。上記巻線は、磁気コアの周りに配置され、２つの先端部分を有する。上記ベースは、磁気コアを支持し、フレーム部、ピンベース、及び２つのピンを有する。上記ピンベースは、フレーム部に接続される。上記ピンベースは、２つの貫通孔、第１面、及び該第1面に対向する第２面を有し、２つの貫通孔が第１面及び第２面を貫通する。上記ピンは、２つの貫通孔に配置され、各ピンは、第１面及び第２面からそれぞれ延在する２つの延在部を有する。巻線の２つの先端部分は、２つのピンにそれぞれ接続される。
【００１３】
本考案の一態様によれば、磁気コアを支持するための磁気アセンブリのベースを提供する。上記ベースは、フレーム部、ピンベース、２つの第１ピン、及び２つの第２ピンを含む。上記ピンベースは、上記フレーム部に接続される。上記ピンベースは、４つの貫通孔、第１面、及び該第１面に対向する第２面を有し、４つの貫通孔が第１面及び第２面を貫通する。上記第１ピンは、２つの貫通孔に配置され、各第１ピンは、第１面及び第２面からそれぞれ延在する２つの延在部を有する。上記第２ピンは、他の２つの貫通孔に配置され、各第２ピンは、第１面及び第２面からそれぞれ延在する２つの延在部を有する。
【００１４】
本考案の一態様によれば、磁気コアを支持するための磁気アセンブリのベースを提供する。上記ベースは、フレーム部、ピンベース、及び２つのピンを含む。上記ピンベースは、フレーム部に接続される。上記ピンベースは、４つの貫通孔、第１面、及び該第１面に対向する第２面を有し、４つの貫通孔が第１面及び第２面を貫通する。上記ピンは、２つの貫通孔に配置され、各ピンは、第１面及び第２面からそれぞれ延在する２つの延在部を有する。
【００１５】
本発明の上記内容は、以下の詳細な説明および添付の図面を参照することにより、当業者にとって、より容易に明らかになる。
【図面の簡単な説明】
【００１６】
【図１】図１は、本考案の一実施形態に係る磁気アセンブリの分解構造を概略的に示す。
【図２】図２は、本考案の一実施形態に係る磁気アセンブリの側面図を概略的に示す。
【図３】図３は、図2に示す磁気アセンブリの別の側面図を概略的に示す。
【図４】図４は、本考案の一実施形態に係る磁気アセンブリ及びこれを用いた回路基板の構造を概略的に示す。
【図５】図５は、本考案の別の実施形態に係る磁気アセンブリの側面図を概略的に示す。
【図６】図６は、図5に示す磁気アセンブリの別の側面図を概略的に示す。
【図７】図７は、図6に示す磁気アセンブリの構造及びこれを用いた回路基板を概略的に示す。
【考案を実施するための形態】
【００１７】
以下、本発明を実施形態により具体的に説明する。なお、以下の本発明の好ましい実施形態は、説明及び解釈するものに過ぎず、網羅的であることを意図するものでも開示された正確な形状に限定することを意図するものでもない。
【００１８】
図１〜４を参照されたい。図1は、本考案の一実施形態に係る磁気アセンブリの分解構造を概略的に示す。図２は、本考案の一実施形態に係る磁気アセンブリの側面図を概略的に示す。図３は、図２に示す磁気アセンブリの別の側面図を概略的に示す。図４は、本考案の一実施形態に係る磁気アセンブリ及びこれを用いた回路基板の構造を概略的に示す。図１〜４に示すように、本考案の磁気アセンブリ1は、磁気コア2、２つの巻線3、及びベース4を含む。巻線3は、磁気コア2の周りに配置され、各巻線3は、２つの先端部分30を有する。ベース4 は、磁気コア2を支持し、フレーム部40、ピンベース41、２つの第１ピン42、及び２つの第２ピン43を含む。ピンベース41は、フレーム部40に接続される。ピンベースは、４つの貫通孔H、第１面S1、及び第１面S1に対向する第２面S2を有し、４つの貫通孔Hが第１面S1及び第２面S2を貫通する。磁気アセンブリ1はチョーク、ベース4の材料は断熱材料、第１ピン42及び第２ピン43の材料は金属であり得るが、これらに限定されない。
【００１９】
第１ピン42は、２つの貫通孔Hに配置され、各第１ピン42は、第１面S1及び第２面S2からそれぞれ延在する２つの延在部421を有する。第２ピン43は、他の２つの貫通孔Hに配置され、各第２ピン43は、第１面S1及び第２面S2からそれぞれ延在する２つの延在部431を有する。各巻線3の先端部分30は、第１ピン42及び第２ピン43にそれぞれ接続される。例えば、４つの先端部分30、２つの第１ピン42、及び２つの第２ピン43の間の各接続は、1対1接続であるが、これに限定されない。
【００２０】
この実施例において、各第１ピン42は、各第１ピン42の２つの延在部421にそれぞれ接続された２つの延伸部422を有する。さらに、各第１ピン42の２つの延在部421は、第１面S1及び第２面S2にそれぞれ垂直である。各第１ピン42の２つの延伸部422 は、各第１ピン42の２つの延在部421にそれぞれ垂直である。
【００２１】
この実施例において、各第２ピン43の２つの延在部431は、第１面S1及び第２面S2にそれぞれ垂直である。第２ピン43の各延在部431の長さは、第１ピン42の各延在部421の長さよりも長いが、これに限定されない。
【００２２】
他の実施形態において、各第２ピン43は、各第２ピン43の２つの延在部431にそれぞれ接続された２つの延伸部を有する。第２ピン43の延伸部は、第１ピン42の延伸部422と同一であり、第１ピン42及び第２ピン43はともにU型ピンであってもよいが、これに限定されない。第１ピン42及び第２ピン43の延伸部は、第１ピン42及び第２ピン43のそれぞれの両端を折り曲げて形成されるが、いくつかの実施形態において、第１ピン42及び第２ピン43は、延伸部を有しないため、両方ともI型ピンである。また、第１ピン42及び第２ピン43は、実際の要求に応じて、U型ピン及び/又はI型ピンに変えてもよい。
【００２３】
いくつかの実施形態において、フレーム部40は、中柱400を有し、２つの第１ピン42がピンベース41上に中柱400に対して対称に配置され、２つの第２ピン43がピンベース41上及び4つの第１ピン42の間に中柱400に対して対称に配置されるが、これに限定されない。いくつかの実施形態において、フレーム部40の中柱400は、固定ピン401をさらに有することにより、磁気アセンブリ1が回路基板5に水平に挿入される際に、固定ピン401が回路基板5に挿入される。それによって、磁気アセンブリ1を回路基板5により安定して固定することができる。
【００２４】
いくつかの実施形態において、磁気アセンブリ1は、第１ピン42の延伸部422を介して回路基板5に垂直に挿入されるが、これに限定されない。いくつかの実施形態において、磁気アセンブリ1の２つの巻線3の先端部分30は、延在部421、431にそれぞれ接続され、磁気アセンブリ1は、第１ピン42の延伸部422を介して回路基板5に垂直に挿入されるが、これに限定されない。
【００２５】
いくつかの実施形態において、２つの巻線3の先端部分30 は、第１ピン42及び第２ピン43にそれぞれ接続され、磁気アセンブリ1は、第２面S2から延在する延在部431を介して回路基板5に水平に挿入されるが、これに限定されない。
【００２６】
図5〜7を参照されたい。図５は、本考案の別の実施形態に係る磁気アセンブリの側面図を概略的に示す。図６は、図5に示す磁気アセンブリの別の側面図を概略的に示す。図７は、図6に示す磁気アセンブリの構造及びこれを用いた回路基板を概略的に示す。図5〜7に示すように、各第１ピン42 は、延伸部423をさらに有し、各第１ピン42の２つの延在部421は、第１面S1及び第２面S2にそれぞれ垂直である。各第１ピン42の延伸部423は、それぞれ各第１ピン42の２つの延在部421のうちの１つに垂直に接続される。
【００２７】
いくつかの実施形態において、各第２ピン43は、延伸部432を有し、各第２ピン43の２つの延在部431は、第１面S1及び第２面S2にそれぞれ垂直である。各第２ピン43の延伸部432は、それぞれ各第２ピン43の２つの延在部431に垂直に接続される。例えば、第１ピン42及び第２ピン43はL型ピンであり得るが、これに限定されない。
【００２８】
いくつかの実施形態において、２つの巻線3 の先端部分30は、第１ピン42及び第２ピン43にそれぞれ接続され、磁気アセンブリ1は、第２面S2から延在する延在部421、431を介して回路基板5に水平に挿入されるが、これに限定されない。
【００２９】
いくつかの実施形態において、２つの巻線3の先端部分30は、第１ピン42及び第２ピンにそれぞれ接続され、磁気アセンブリ1は、延伸部423、432を介して回路基板5に垂直に挿入されるが、これに限定されない。
【００３０】
簡単に言えば、本考案の磁気アセンブリでは、ベースのピンベースに異なるタイプのピンを配置することにより、このベースを垂直型及び水平型の磁気アセンブリに適用することができる。それによって、生産規模が分散され、生産コストの削減及び製品標準化の利点が達成される。さらに、異なる方向に沿って異なるタイプのピンを配置することにより、はんだ付け及び固定が容易なピンに接続するように巻線を選択することができ、磁気アセンブリが異なる設計要求における組み立てを満たすことができるため、生産の困難性が低減され、自動生産に有益である。
【００３１】
図1〜3を参照されたい。図1〜3に示すように、収納空間Cは、フレーム部40及びピンベース41によって画され、磁気コア2及び巻線3は、収納空間Cに部分的に配置される。いくつかの実施形態において、ピンベース41とフレーム部40との間に段差Dが形成される。フレーム部40は、第１セグメント40A、2つの対向する第2セグメント40B、及び中柱400を有し、２つの第2セグメント40Bの両端が第１セグメント40A及びピンベース41にそれぞれ接続される。中柱400は、第１セグメント40A及びピンベース41に接続される。２つの収納空間Cは、第１セグメント40A、２つの第2セグメント40B、中柱400、及びピンベース41によって画され、磁気コア2及び巻線3は、２つの収納空間Cに部分的に配置される。
【００３２】
磁気アセンブリ1の磁気コア2は、２つの側柱20をさらに含んでもよい。２つの巻線3は、それぞれ２つの側柱20の周りに配置され、２つの側柱20及び２つの巻線3は、２つの収納空間Cに部分的に対応して配置される。いくつかの実施形態において、磁気コア2は、頂柱21及び底柱22をさらに含む。頂柱21の両端は、それぞれ２つの側柱20の一側の端部に接続され、底柱22の両端は、それぞれ２つの側柱20の他側の端部に接続され、底柱22は、ピンベース41に配置される。例えば、磁気コア2 は、四角形の磁気コアであり得るが、これに限定されない。
【００３３】
簡単に言えば、本考案の磁気アセンブリでは、互いに段差を有するフレーム部及びピンベースで収納空間を画することにより、磁気コア及び巻線を収納空間に部分的に配置することができる。さらに、磁気コア及び巻線をベースに沈める設計により、磁気アセンブリの体積を減少させることができ、スペースを効果的に使用することができる。
【００３４】
いくつかの実施形態において、本考案の磁気アセンブリ1は、磁気コア2、巻線3、及びベース4を含む。ベース4は、フレーム部40、ピンベース41、及び2つのピンを含む。ピンベース41は、２つの貫通孔を有し、2つのピンが2つの貫通孔に配置される。磁気コア2、巻線3、フレーム部40、及びピンベース41の他の構造は、上記実施形態で説明した。いくつかの実施形態において、１つのピンは、ピンの１つの延在部に接続された延伸部を有する。いくつかの実施形態において、１つのピンは、ピンの2つの延在部にそれぞれ接続された２つの延伸部を有する。さらに、いくつかの実施形態において、各ピンは、各ピンの１つの延在部に接続された延伸部を有する。いくつかの実施形態において、各ピンは、ピンの2つの延在部にそれぞれ接続された２つの延伸部を有するが、これに限定されない。
【００３５】
本考案は、現在最も実用的かつ好ましい実施形態と考えられるものに関して説明してきたが、本考案は、開示された実施形態に限定される必要はないことを理解すべきである。それどころか、添付の特許請求の範囲の精神及び範囲内に含まれる様々な修正及び類似の構成を包含することが意図され、すべてのそのような修正及び類似の構成を包含するように最も広い解釈に従うべきである。
【図１】
0003215521.tif 000003
【図２】
0003215521.tif 000004
【図３】
0003215521.tif 000005
【図４】
0003215521.tif 000006
【図５】
0003215521.tif 000007
【図６】
0003215521.tif 000008
【図７】
0003215521.tif 000009